(57)【要約】【課題】簡単に多様な表示態様を実現することができる印刷システムを提供する。【解決手段】販売条件の内容自体をそのまま表示する計算表示文字列および販売条件が所定の基準を満足するときにその販売条件の付加的情報を表示する条件表示文字列の印字フォーマット（フォント、サイズ、色、表示位置、装飾態様等）を予め設定しておく。売価や割引率等の販売条件を入力すれば、設定されたフォーマットに従って計算表示文字列および／または条件表示文字列が対象画像ＩＭの画像データの一部として設定され、当該画像データがプリンタにより印刷されてＰＯＰ広告が作成される。【選択図】　　　　図５
2004078555.tif 000002
【特許請求の範囲】
【請求項１】
商品の販売条件を含む商品情報を印字するための画像データを印刷する印刷システムであって、
前記販売条件の内容自体を表示する基本表示文字列を前記画像データの一部として設定する基本表示文字列設定手段と、
前記販売条件が所定の基準を満足するときに、前記販売条件の付加的情報を表示する付加表示文字列を前記画像データの一部として設定する付加表示文字列設定手段と、
前記画像データを印刷する印刷手段と、
を備えることを特徴とする印刷システム。
【請求項２】
請求項１記載の印刷システムにおいて、
前記基本表示文字列の表示または非表示の選択入力を受け付ける第１選択手段と、
前記付加表示文字列の表示または非表示の選択入力を受け付ける第２選択手段と、
をさらに備え、
前記第１選択手段から表示の選択が入力されたときのみ、前記基本表示文字列設定手段は前記販売条件の内容にかかわらず前記基本表示文字列を前記画像データの一部として設定し、
前記第２選択手段から表示の選択が入力され、かつ前記販売条件が前記所定の基準を満足するときのみ、前記付加表示文字列設定手段は前記付加表示文字列を前記画像データの一部として設定することを特徴とする印刷システム。
【請求項３】
請求項１または請求項２記載の印刷システムにおいて、
前記画像データを印刷したときの前記基本表示文字列および／または前記付加表示文字列の印字位置を指定する位置指定手段をさらに備えることを特徴とする印刷システム。
【請求項４】
請求項１から請求項３のいずれかに記載の印刷システムにおいて、
前記画像データを印刷したときの前記基本表示文字列および／または前記付加表示文字列のフォントを指定するフォント指定手段をさらに備えることを特徴とする印刷システム。
【請求項５】
請求項１から請求項４のいずれかに記載の印刷システムにおいて、
前記画像データを印刷したときの前記基本表示文字列および／または前記付加表示文字列の色を指定する色指定手段をさらに備えることを特徴とする印刷システム。
【請求項６】
請求項１から請求項５のいずれかに記載の印刷システムにおいて、
前記画像データを印刷したときの前記基本表示文字列および／または前記付加表示文字列の装飾態様を指定する装飾指定手段をさらに備えることを特徴とする印刷システム。
【発明の詳細な説明】
【０００１】
【発明の属する技術分野】
本発明は、商品の販売条件を含む商品情報をＰＯＰ広告等として印刷する印刷システムに関する。
【０００２】
【従来の技術】
スーパーマーケット等の小売り店舗の店頭では広告と販売促進とを兼ねたＰＯＰ（ｐｏｉｎｔ　ｏｆ　ｐｕｒｃｈａｓｅ）広告が頻繁に使用される。ＰＯＰ広告には、商品名、生産者名、価格、重量等の種々の商品情報が印刷される。印刷される商品情報には、主として商品固有の情報（例えば、商品名、産地、定価等）および可変の販売条件（例えば、売価、割引率等）の他に、その販売条件に関連する関連表示も含まれることが多い。例えば、売価が定価よりも安いときは、その販売条件に関連した文字列として”ＸＸ％ＯＦＦ”と印刷したり、”超特価”と印刷したりする。
【０００３】
従来、このような関連表示部分の態様は販売条件の内容に応じて自動的に決定されていた。例えば、定価と売価から割引率を自動計算し、その割引率が２５％以上の場合”超特価”と表示し、割引率が２５％未満の場合”ＸＸ％ＯＦＦ”と表示（実際の割引率表示）するようにしていた。
【０００４】
【発明が解決しようとする課題】
しかしながら、ＰＯＰ広告の作成にもより販促効果の高い工夫が求められており、関連表示部分の表示態様も多様である方が好ましい。一方、通常ＰＯＰ広告は毎日短時間（例えば、開店直前の準備時間）のうちに作成しなければならないため、表示態様を多様にするために複雑な操作を要することは問題である。
【０００５】
本発明は、上記課題に鑑みてなされたものであり、簡単に多様な表示態様を実現することができる印刷システムを提供することを目的とする。
【０００６】
【課題を解決するための手段】
上記課題を解決するため、請求項１の発明は、商品の販売条件を含む商品情報を印字するための画像データを印刷する印刷システムにおいて、前記販売条件の内容自体を表示する基本表示文字列を前記画像データの一部として設定する基本表示文字列設定手段と、前記販売条件が所定の基準を満足するときに、前記販売条件の付加的情報を表示する付加表示文字列を前記画像データの一部として設定する付加表示文字列設定手段と、前記画像データを印刷する印刷手段と、を備える。
【０００７】
また、請求項２の発明は、請求項１の発明にかかる印刷システムにおいて、前記基本表示文字列の表示または非表示の選択入力を受け付ける第１選択手段と、前記付加表示文字列の表示または非表示の選択入力を受け付ける第２選択手段と、をさらに備え、前記第１選択手段から表示の選択が入力されたときのみ、前記基本表示文字列設定手段に前記販売条件の内容にかかわらず前記基本表示文字列を前記画像データの一部として設定させ、前記第２選択手段から表示の選択が入力され、かつ前記販売条件が前記所定の基準を満足するときのみ、前記付加表示文字列設定手段に前記付加表示文字列を前記画像データの一部として設定させている。
【０００８】
また、請求項３の発明は、請求項１または請求項２の発明にかかる印刷システムにおいて、前記画像データを印刷したときの前記基本表示文字列および／または前記付加表示文字列の印字位置を指定する位置指定手段をさらに備える。
【０００９】
また、請求項４の発明は、請求項１から請求項３のいずれかの発明にかかる印刷システムにおいて、前記画像データを印刷したときの前記基本表示文字列および／または前記付加表示文字列のフォントを指定するフォント指定手段をさらに備える。
【００１０】
また、請求項５の発明は、請求項１から請求項４のいずれかの発明にかかる印刷システムにおいて、前記画像データを印刷したときの前記基本表示文字列および／または前記付加表示文字列の色を指定する色指定手段をさらに備える。
【００１１】
また、請求項６の発明は、請求項１から請求項５のいずれかの発明にかかる印刷システムにおいて、前記画像データを印刷したときの前記基本表示文字列および／または前記付加表示文字列の装飾態様を指定する装飾指定手段をさらに備える。
【００１２】
【発明の実施の形態】
以下、図面を参照しつつ本発明の実施の形態について詳細に説明する。
【００１３】
図１は、本発明にかかる印刷システムのシステム構成の一例を示す図である。この印刷システムはチラシ、ポスター、ＰＯＰ広告等を印刷するシステムであり、ネットワーク１に１台のサーバ５と、３台のクライアント１０と、１台のプリンタ４０とが接続されて構成されている。なお、クライアント１０はネットワーク１に１台以上接続されていれば良く、またネットワーク１に複数のプリンタ４０が接続されていても良い。
【００１４】
サーバ５は、パーソナルコンピュータやワークステーション等を用いて構成されており、データベースの共有化を行うためのデータベースサーバとして機能している。すなわち、サーバ５に内蔵されている磁気ディスクにはＰＯＰ広告の基本書式を集積したＰＯＰ用データベースや商品情報（例えば、商品名や価格等）を集積した商品マスターデータベースが格納されており、それら各種データベースはネットワーク１に開放されて各クライアント１０に共有されている。
【００１５】
プリンタ４０は、いわゆるネットワークプリンタであり、本実施形態ではカラーレーザープリンタを用いて構成されている。プリンタ４０は、ネットワーク１を介してクライアント１０から送信されたページ記述言語（ＰＤＬ）にて記述されたデータの印刷を行い、Ａ３サイズまでのカラー印字を行うことができる。なお、プリンタ４０としてはカラーレーザープリンタに限定されるものではなく、例えばインクジェット方式のプリンタ等であっても良い。また、プリンタ４０をネットワーク１ではなく各クライアント１０に個別に接続してローカルプリンタとしても良い。
【００１６】
図２は、クライアント１０およびプリンタ４０のより詳細な構成を示す機能ブロック図である。クライアント１０は、いわゆるパーソナルコンピュータであり、本体部１３に表示部１１と入力部１２とを接続して構成されている。本体部１３は、その内部に演算処理を行うＣＰＵ１４と、読み出し専用メモリーであるＲＯＭ１５と、読み書き自在のメモリーであるＲＡＭ１６と、制御用ソフトウェアやデータなどを記憶しておく磁気ディスク１７と、外部機器との接続のためのインターフェイス１８と、ＣＤ−ＲＯＭドライブ２０とを備えている。ＣＰＵ１４と磁気ディスク１７やインターフェイス１８等とはバスライン１９を介して電気的に接続されている。また、本体部１３のバスライン１９には、表示部１１および入力部１２も電気的に接続されている。
【００１７】
入力部１２は、キーボード１２ａやマウス１２ｂ（図１参照）を用いて構成されており、作業者がクライアント１０に対してコマンドやデータを入力するためのものである。表示部１１は、カラーディスプレイ１１ａによって構成されており、本体部１３における作業内容等を表示する。作業者は、表示部１１の表示内容を確認しつつ、入力部１２から必要なコマンド等を入力する。
【００１８】
インターフェイス１８は通信回線との接続部であって、ここではネットワーク１に接続されている。クライアント１０とプリンタ４０との間のデータ通信はインターフェイス１８を介して行われることとなる。
【００１９】
ＣＤ−ＲＯＭドライブ２０は、後述するＰＯＰ作成プログラムが記録されたＣＤ−ＲＯＭ３０から当該処理プログラムを読み取る。ＣＤ−ＲＯＭドライブ２０によってＣＤ−ＲＯＭ３０から読み出されたＰＯＰ作成プログラムがパーソナルコンピュータにインストールされＣＰＵ１４によって実行されることにより、そのパーソナルコンピュータが本発明にかかる印刷システムのクライアント１０として機能し、後述のＰＯＰ作成処理が行われる。なお、上記のＰＯＰ作成プログラムは、例えばサーバ５等からネットワーク１経由にてダウンロードしてパーソナルコンピュータにインストールするようにしても良い。また、ＣＤ−ＲＯＭドライブ２０に代えてＤＶＤドライブ等の他の記録媒体用ドライブを使用するようにしても良く、その場合は各記録媒体用ドライブに応じた記録媒体（例えばＤＶＤドライブの場合ＤＶＤ）にＰＯＰ作成プログラムが記録される。
【００２０】
次に、上記の印刷システムにおける処理内容について説明する。本印刷システムはＰＯＰ広告等を印刷するシステムであり、ＰＯＰ広告を作成する作業者はクライアント１０からＰＯＰ広告として印刷対象となる画像（対象画像）を作成する。具体的には、作業者はクライアント１０にインストールされているＰＯＰ作成プログラムを起動し、ＰＯＰ広告作成のためのフォーマットを設定するとともに、その日の販売条件を入力して対象画像を作成する。
【００２１】
図３は、表示部１１に表示されたＰＯＰ広告作成画面の一例を示す図である。クライアント１０にてＰＯＰ作成プログラムを実行させることにより、表示部１１の表示画面５０にはメインウィンドウ６０と、選択ウィンドウ６５と、入力ウィンドウ６８と、複数の機能ボタンとが表示される。メインウィンドウ６０には、作成中のＰＯＰ広告のイメージ、つまり対象画像ＩＭが表示される。選択ウィンドウ６５には複数の選択ボタンや選択項目が表示され、作業者はマウス１２ｂ等を使用してそれらの選択を行うことができる。また、作業者は入力ウィンドウ６８からキーボード１２ａを使用して文字列等を入力することができる。なお、以下に説明する表示画面５０の表示処理および表示画面５０からの入力に対する応答処理は全てＰＯＰ作成プログラムを実行するＣＰＵ１４によって実現されるものである。
【００２２】
図３に示す如き表示画面を用いてＰＯＰ広告を作成する際には、予め作業者が販売条件の表示に関連する幾つかの設定を行っておく。具体的には以下のような項目についての設定を行う。
【００２３】
１）計算表示文字列の表示の有無
２）計算表示文字列の内容
３）条件表示文字列の表示の有無
４）条件表示文字列を表示する条件
５）条件表示文字列の内容
【００２４】
図４は、計算表示文字列に関連する設定を行っている画面の一例を示す図である。まず、計算表示文字列の表示の有無については、表示画面５０上において「計算表示文字列を常に表示」に対応するチェックボックス７１へのチェックにより設定する。すなわち、チェックボックス７１にチェックを入れたときには計算表示文字列が常に表示される。逆に、チェックボックス７１にチェックを入れないときには計算表示文字列は表示されない。
【００２５】
図４においては、作業者がチェックボックス７１にチェックを入れており、計算表示文字列の表示が選択されている。このような場合は、作業者が計算表示文字列の内容についての設定も行う。このときに設定すべき項目は、計算表示文字列として使用する文字列および該文字列のフォント、サイズ、色、表示位置、装飾態様である。本実施形態では、計算表示文字列として割引率を”％ＯＦＦ”表示するような変数を含む文字列を使用している。ここでの割引率は当店通常価格Ａに対する売価Ｂの割引率であり、計算式（１００−（（Ｂ／Ａ）＊１００））によって求められる。そして、その求められた値に”％ＯＦＦ”を付加した文字列を計算表示文字列として設定されるのである。なお、上記計算式の設定は、作業者が表示画面５０上の機能ボタン７５（計算式）を選択して所定の式入力を行うことにより実現される。
【００２６】
この計算表示文字列の対象画像ＩＭ中における表示位置Ｐ１は、作業者がメインウィンドウ６０上にてマウス１２ｂ等を使用して行う。すなわち、メインウィンドウ６０に表示された対象画像ＩＭ中における所望の位置に作業者がマウス１２ｂを使用して計算表示文字列の表示位置Ｐ１を指定する。また、計算表示文字列のフォント、サイズ、色、装飾態様については後述の条件表示文字列と同様にして設定される。
【００２７】
図５は、条件表示文字列に関連する設定を行っている画面の一例を示す図である。まず、条件表示文字列の表示の有無については、表示画面５０上において「条件表示文字列を使用する」に対応するチェックボックス７２へのチェックにより設定する。すなわち、チェックボックス７２にチェックを入れたときには条件表示文字列の表示が許可される。逆に、チェックボックス７１にチェックを入れないときには条件表示文字列の表示は許可されない。
【００２８】
図５においては、作業者がチェックボックス７２にチェックを入れており、条件表示文字列の表示が選択されている。このような場合は、作業者が条件表示文字列を表示する条件の設定も行う。本実施形態では、条件式（１００−（（Ｂ／Ａ）＊１００）＞２０．０）が満足されたとき、つまり上記割引率が２０％を超えたときに条件表示文字列が表示されるように設定される。具体的には、表示画面５０上において条件値「２０．０」、条件式「＞」を入力することにより上記条件式が設定されることとなる。
【００２９】
このように、計算表示文字列についてはチェックボックス７１にチェックが入れられて、その表示が選択されたときのみ、割引率にかかわらず常に表示されることとなる。一方、条件表示文字列についてはチェックボックス７２にチェックが入れられて、その表示が選択され、かつ販売条件である割引率が所定の基準を満足するときのみ表示されることとなる。
【００３０】
条件表示文字列の表示が選択された場合には、作業者がさらに条件表示文字列の内容についての設定も行う。このときに設定すべき項目は、条件表示文字列として使用する文字列および該文字列のフォント、サイズ、色、表示位置、装飾態様である。本実施形態では、条件表示文字列として”超特価”を設定しており、具体的には作業者が入力ウィンドウ６８から入力する。
【００３１】
条件表示文字列の対象画像ＩＭ中における表示位置Ｐ２は、作業者がメインウィンドウ６０上にてマウス１２ｂ等を使用して行う。すなわち、メインウィンドウ６０に表示された対象画像ＩＭ中における所望の位置に作業者がマウス１２ｂを使用して条件表示文字列の表示位置Ｐ２を指定する。
【００３２】
また、条件表示文字列のフォント、サイズ、色、装飾態様については以下のようにして設定される。例えば、条件表示文字列の色の設定を行うときは、作業者がマウス１２ｂ等を使用して表示画面５０上の機能ボタン７６（色・パターン）を選択する。これにより、選択ウィンドウ６５に装飾パターンパレット７３および色パレット７４が表示される。装飾パターンパレット７３は複数のパターンボタンを配列して構成され、同様に色パレット７４は複数の色ボタンを配列して構成されている。条件表示文字列の表示色を例えば赤色に設定するときには色パレット７４のうちの赤色の色ボタンを選択する。その結果、入力ウィンドウ６８に表示されていた条件表示文字列”超特価”に色制御文字が付与され、該条件表示文字列が赤色にて印刷されることが示される。
【００３３】
同様に、条件表示文字列の装飾態様の設定を行うときにも作業者がマウス１２ｂ等を使用して表示画面５０上の機能ボタン７６（色・パターン）を選択する。そして、条件表示文字列に例えば星マークの装飾を施すときには装飾パターンパレット７３のうちの星マークのパターンボタンを選択する。その結果、入力ウィンドウ６８に表示されていた条件表示文字列”超特価”に装飾パターン制御文字が付与され、該条件表示文字列に星マークが付されて印刷されることが示される。
【００３４】
また、条件表示文字列のフォント、サイズの設定を行うときには、作業者がマウス１２ｂ等を使用して表示画面５０上の機能ボタン７７（フォント）、機能ボタン７８（サイズ）をそれぞれ選択する。これにより、選択ウィンドウ６５にフォント一覧、サイズ一覧がそれぞれ表示され、作業者はそれらのうちから所望のフォント、サイズをマウス１２ｂ等を使用して選択する。その結果、条件表示文字列が設定されたフォント、サイズにて印刷されることとなる。
【００３５】
なお、計算表示文字列についても条件表示文字列と同様にしてフォント、サイズ、色、装飾態様を設定することができる。
【００３６】
以上のようにしてフォーマット処理が終了した後に、ＰＯＰ広告のイメージである対象画像ＩＭが作成される。具体的には、メインウィンドウ６０に表示されたレイアウトに従って作業者が必要な項目を入力していく。対象画像ＩＭのレイアウトは予め複数を磁気ディスク１７に用意しておいてそこから呼び出すようにしても良いし、サーバ５からダウンロードするようにしても良い。また、デフォルトのレイアウトに対して作業者が修正を加えたものであっても良いし、全く新規なレイアウトをクライアント１０にて作成するようにすることも勿論可能である。
【００３７】
本実施形態では、説明の便宜上、固定項目ＩＴ１、商品名項目ＩＴ２、固定項目ＩＴ３、定価項目ＩＴ４および売価項目ＩＴ５を図３に示すようなレイアウトとしたものを使用する。固定項目ＩＴ１には「広告の品」という定型文字列が入力される。商品名項目ＩＴ２には商品名「やわらか番茶」が入力される。固定項目ＩＴ３には、「当店通常価格」という定型文字列が入力される。また、定価項目ＩＴ４には、定価である「３５０円」が入力される。この定価項目ＩＴ４はそのまま上記の計算項目「当店通常価格Ａ」として使用される。なお、定価項目ＩＴ４を入力するのに代えて商品マスターテーブルに登録されている商品名「やわらか番茶」に対応する価格を使用するようにしても良い。
【００３８】
そして、売価項目ＩＴ５には売価が入力される。図６は、売価として「２８０円」が入力されたときの画面を示す図である。なお、同図に示すように、ここでは計算表示文字列および条件表示文字列の双方の表示が選択されている。定価３５０円に対して売価２８０円は割引率２０％となる。このため計算表示文字列は”２０％ＯＦＦ”となり、それが予め定められたフォーマット（フォント、サイズ、色、表示位置、装飾態様）に従って対象画像ＩＭ上に表示される。
【００３９】
売価２８０円の場合、割引率が２０％を超えるという基準を満たさないため、条件表示文字列については対象画像ＩＭ上に表示されない。このため最終的な仕上がり状態のＰＯＰ広告のイメージは図６に示す対象画像ＩＭのようになる。その後、作業者がクライアント１０に対して印刷指示を入力することによって、プリンタ４０により図６に示す対象画像ＩＭが印刷されてＰＯＰ広告の作成が完了する。
【００４０】
一方、図７は、売価として「２００円」が入力されたときの画面を示す図である。図７においても計算表示文字列および条件表示文字列の双方の表示が選択されている。定価３５０円に対して売価２００円は割引率４０％となる。このため計算表示文字列は”４０％ＯＦＦ”となり、それが予め設定されたフォーマット（フォント、サイズ、色、表示位置、装飾態様）に従って対象画像ＩＭ上に表示される。
【００４１】
売価２００円の場合、割引率が２０％を超えるという基準を満たすため、条件表示文字列”超特価”が予め定められたフォーマットに従って対象画像ＩＭ上に表示される。すなわち、図７に示すように、星マークが付された「超特価」の文字列が赤色にて対象画像ＩＭ上に表示される。その後、作業者がクライアント１０に対して印刷指示を入力することによって、プリンタ４０により図７に示す対象画像ＩＭが印刷されてＰＯＰ広告の作成が完了する。
【００４２】
なお、プリンタ４０による印刷時に、計算表示文字列および条件表示文字列が予め設定されたフォーマット（フォント、サイズ、色、表示位置、装飾態様）に従って、つまり対象画像ＩＭ上に表示されているのと同じように印刷されることは勿論である。
【００４３】
以上のように、本実施形態では一旦フォーマットを設定すれば、売価を入力するだけでそのフォーマットに従って計算表示文字列および／または条件表示文字列がＣＰＵ１４により対象画像ＩＭの画像データの一部として設定され、当該画像データがプリンタ４０により印刷されてＰＯＰ広告が作成されることとなる。ここで、販売条件（本実施形態では割引率）の内容自体をそのまま表示する計算表示文字列と、販売条件が所定の基準を満足するときにその販売条件の付加的情報を表示する条件表示文字列とを同時に対象画像ＩＭの画像データの一部として設定し印刷しているため、簡単に多様な表示態様を実現することができ、簡単な操作と表示の多様化とを両立することができるのである。
【００４４】
また、チェックボックス７１，７２のそれぞれへのチェックの有無により、計算表示文字列、条件表示文字列の表示／非表示を選択することができるため、多様な表示態様をより簡易に実現することができる。
【００４５】
さらに、計算表示文字列および／または条件表示文字列のフォント、サイズ、色、表示位置、装飾態様についても自由に設定することができるため、多様な表示態様をより簡易に実現することができる。
【００４６】
以上、本発明の実施の形態について説明したが、この発明は上記の例に限定されるものではない。例えば、上記各実施形態においては、クライアント１０とプリンタ４０とをネットワーク１にて接続したネットワーク対応の印刷システムとしていたが、プリンタを内蔵した１台の印刷装置によって上記の印刷システムを実現するようにしても良い。
【００４７】
また、上記実施形態においては、計算表示文字列を変数を含む文字列としていたが、これを「大安売り」の如き固定の文字列としても良い。
【００４８】
また、上記実施形態においては、売価を入力することによって割引率を算出するようにしていたが、割引率を入力して売価を算出するようにしても良い。さらに、販売条件は売価、割引率に限定されず、販売時の重量や個数としても良い。
【００４９】
【発明の効果】
以上、説明したように、請求項１の発明によれば、販売条件の内容自体を表示する基本表示文字列を画像データの一部として設定する基本表示文字列設定手段と、販売条件が所定の基準を満足するときに、その販売条件の付加的情報を表示する付加表示文字列を画像データの一部として設定する付加表示文字列設定手段と、を備えるため、基本表示文字列および付加表示文字列の２つの文字列を同時に表示させることができ、簡単に多様な表示態様を実現することができる。
【００５０】
また、請求項２の発明によれば、第１選択手段から表示の選択が入力されたときのみ、販売条件の内容にかかわらず基本表示文字列が画像データの一部として設定され、第２選択手段から表示の選択が入力され、かつ販売条件が所定の基準を満足するときのみ、付加表示文字列が画像データの一部として設定されるため、計算表示文字列および／または条件表示文字列の表示／非表示を選択することができ、多様な表示態様をより簡易に実現することができる。
【００５１】
また、請求項３の発明によれば、画像データを印刷したときの基本表示文字列および／または付加表示文字列の印字位置を指定する位置指定手段をさらに備えるため、印字位置についても自由に設定することができ、多様な表示態様をより簡易に実現することができる。
【００５２】
また、請求項４の発明によれば、画像データを印刷したときの基本表示文字列および／または付加表示文字列のフォントを指定するフォント指定手段をさらに備えるため、フォントについても自由に設定することができ、多様な表示態様をより簡易に実現することができる。
【００５３】
また、請求項５の発明によれば、画像データを印刷したときの基本表示文字列および／または付加表示文字列の色を指定する色指定手段をさらに備えるため、色についても自由に設定することができ、多様な表示態様をより簡易に実現することができる。
【００５４】
また、請求項６の発明によれば、画像データを印刷したときの基本表示文字列および／または付加表示文字列の装飾態様を指定する装飾指定手段をさらに備えるため、装飾態様についても自由に設定することができ、多様な表示態様をより簡易に実現することができる。
【図面の簡単な説明】
【図１】本発明にかかる印刷システムのシステム構成の一例を示す図である。
【図２】クライアントおよびプリンタの構成を示す機能ブロック図である。
【図３】ＰＯＰ広告作成画面の一例を示す図である。
【図４】計算表示文字列に関連する設定を行っている画面の一例を示す図である。
【図５】条件表示文字列に関連する設定を行っている画面の一例を示す図である。
【図６】売価が入力されたときの画面の一例を示す図である。
【図７】売価が入力されたときの画面の他の例を示す図である。
【符号の説明】
１　ネットワーク
５　サーバ
１０　クライアント
１１　表示部
１１ａ　カラーディスプレイ
１２　入力部
１２ａ　キーボード
１２ｂ　マウス
１４　ＣＰＵ
１７　磁気ディスク
４０　プリンタ
５０　表示画面
６０　メインウィンドウ
６５　選択ウィンドウ
６８　入力ウィンドウ
７１，７２　チェックボックス
７３　装飾パターンパレット
７４　色パレット
７５，７６，７７，７８　機能ボタン
ＩＭ　対象画像
【図１】
2004078555.tif 000003
【図２】
2004078555.tif 000004
【図３】
2004078555.tif 000005
【図４】
2004078555.tif 000006
【図５】
2004078555.tif 000007
【図６】
2004078555.tif 000008
【図７】
2004078555.tif 000009